(57)【要約】【課題】表層シートと基板との接着が良好に維持され、障害釘周辺の表層シートが浮き上がってしまったりすることを防止する弾球遊技機並びにその遊技盤の製造方法の提供を図る。【解決手段】基板３１の前面に貼り合わされた表層シート４１について、障害釘２１の径よりも大きな大径挿通孔４７を形成する。基板には、障害釘２１が固定される固定孔３２を形成し、大径挿通孔４７と固定孔３２とを位置合わせして、障害釘２１が表層シート４１に対して接触することがないようにする。大径挿通孔４７はその内周面を光らせるようにしてもよい。【選択図】図４
2015019834.tif 000002
【特許請求の範囲】
【請求項１】
前面が遊技球の走行面を構成する表層シートと、前記表層シートの後面側に配置された基板と備え、前記遊技球の走行の障害となる障害釘が前記走行面から打ち込まれて前記基板に固定された遊技盤を有する弾球遊技機において、
前記表層シートは、前記障害釘の径よりも大きな大径挿通孔を有し、
前記基板は、前記大径挿通孔を通って打ち込まれた前記障害釘が固定される固定孔を有し、
前記固定孔は、前記大径挿通孔よりも小さな径の小径部を有し、
前記表層シートの少なくとも一部に印刷インキ層が形成されており、
前記印刷インキ層が予め形成されると共に前記大径挿通孔が予め形成された前記表層シートと、前記固定孔の下孔が予め形成された前記基板とが、前記大径挿通孔と前記下孔とを位置合わせした状態で接着がなされ、前記障害釘が前記表層シートに対して接触することなく前記基板の固定孔に固定されたことを特徴とする弾球遊技機。
【請求項２】
前記表層シートは、ポリエチレンテレフタレート等の透光性を有するポリエステル系シートであり、
前記基材はポリカーボネート製の透光性を有する成型基板又はアクリル製の平板を加工した後加工基板であり、
前記印刷インキ層の後面側並びに前記インキ層がない領域の前記表層シートの後面に、透光性を有する粘着剤層が予め形成され、この粘着剤層によって前記表層シートと前記基材との接着がなされたものであることを特徴とする請求項１記載の弾球遊技機。
【請求項３】
前面が遊技球の走行面を構成する表層シートと、前記表層シートの後面側に配置された基板と備え、前記表層シートと前記基板とは少なくとも一部に透光性を有するものであり、前記遊技球の走行の障害となる障害釘の釘傘部側が前記走行面から突出し、前記障害釘の胴部先端側が前記基板に固定された遊技盤を有する弾球遊技機において、
前記表層シートは、前記障害釘が貫通する複数の貫通孔を有し、
前記貫通孔の少なくとも１つの貫通孔は、前記障害釘の胴部との間に隙間を有する大径挿通孔であり、
前記大径挿通孔を光らせると共にこの光った前記大径挿通孔を前記隙間から視認できるようにしたことを特徴とする弾球遊技機。
【請求項４】
前記遊技盤の後面側に光源を備え、
前記光源からの光に対する調光部を、前記遊技盤の内部に備え、
前記調光部からの光を、前記遊技盤の内部を通して前記大径挿通孔の少なくとも１つに導くことによって、前記大径挿通孔の内周面又は内周面と表層シートの前面との間のエッジを光らせると共にこの光った前記大径挿通孔を前記隙間から視認できるようにしたことを特徴とする請求項３記載の弾球遊技機。
【請求項５】
前記調光部は、前記表層シートの後面に配置され前記光源からの光によって発光する発光インキ部分と、前記表層シートの内部に形成され前記光源からの光の進行方向を変化させる反射部分との少なくとも何れか一方であり、
前記大径挿通孔の付近であって前記調光部からの光が前記大径挿通孔の少なくとも１つへ届く位置に、前記調光部が形成されたことを特徴とする請求項４記載の弾球遊技機。
【請求項６】
複数の弾球遊技機から構成される弾球遊技機群であり、
前記弾球遊技機群を構成する少なくとも１つの弾球遊技機が請求項３〜５の何れかに記載の弾球遊技機であることを特徴とする弾球遊技機群。
【請求項７】
前面が遊技球の走行面を構成する表層シートと、前記表層シートの後面側に配置された基板と備え、前記表層シートと前記基板とは透光性を有するものであり、前記遊技球の走行の障害となる障害釘が前記走行面から打ち込まれて前記基板に固定された遊技盤の製造方法において、
前記表層シートの後面に印刷インキ層を形成すると共に、前記印刷インキ層の後面側並びに前記インキ層がない領域の前記表層シート後面に、透光性を有する粘着剤層を形成するステップと、
前記印刷インキ層及び前記粘着剤層を備えた前記表層シートに、前記障害釘の径よりも大きな径を有する大径挿通孔を形成するステップと、
前記基板に前記障害釘を固定するための固定孔の下孔を形成するステップと、
前記大径挿通孔と前記下孔とを位置合わせした状態で、前記粘着剤層によって前記表層シートと前記基板とを接着するステップと、
接着された前記表層シートと前記基板と前面側から、前記障害釘を打ち込んで、前記表層シートに対して接触させることなく前記基板の前記固定孔に固定するステップを備えたことを特徴とする弾球遊技機用の遊技盤の製造方法。
【発明の詳細な説明】
【技術分野】
【０００１】
本発明は、パチンコ遊技機などの弾球遊技機並びにその遊技盤の製造方法に関するものである。
【背景技術】
【０００２】
従来より、パチンコ遊技機などの弾球遊技機の遊技盤については、種々の改良が提案されており、特に、前面が遊技球の走行面を構成する表層シートと、この表層シートの後面側に配置された基板と備え、表層シートは、障害釘の径よりも大きな大径挿通孔を有し、障害釘が表層シートに対して接触することなく基板の固定孔に固定されたものとしては、特許文献１に示す提案がなされている。
【０００３】
特許文献１に記載の弾球遊技機用の遊技盤は、障害釘用の下穴が、基板を貫通して設けられていると共に、下穴の形状が、障害釘の胴部の外径よりも大きな内径を有する大径部と、障害釘の胴部の外径よりも小さな内径を有する小径部とを備えた段付形状とされている。そして、大径部は、基板の前面側と、この基板の前面に接着された表層シートとに連続して形成され、小径部は、基板の後面側に形成されている。従って、この段付形状の孔は、基板と表層シートとを接着した後に、後加工で形成されるものである。この特許文献１に係る発明は、障害釘に当たったときの遊技球の跳返り量が十分に大きくされた合成樹脂製の遊技盤を提供することを課題とするものであり、基板と表層シートとの製造工程や、大径部による加飾性の向上については、検討されていない。
【０００４】
特許文献２に示す提案は、遊技盤の前面側に取付部材を取り付けた連結用筒体の後面側に、光源が配設され、この光源の前方の取付部材が、光源からの光を透過可能な透過材料から形成されるとともに、光源からの光を加飾させて遊技盤の前方側へ放射可能な放射体として構成され、ねじ孔を利用して、前面側から連結用筒体に取り付けられている弾球遊技機が開示されている。
【先行技術文献】
【特許文献】
【０００５】
【特許文献１】特開２００９−２１９８６０号公報
【特許文献２】特許４８１９１０８号公報
【発明の概要】
【発明が解決しようとする課題】
【０００６】
本発明は、前面が遊技球の走行面を構成する表層シートと、表層シートの後面側に配置された基板と備え、遊技球の走行の障害となる障害釘が走行面から打ち込まれて基板に固定された弾球遊技機において、表層シートと基板との接着が良好に維持され、障害釘周辺の表層シートが浮き上がってしまったりすることがなく、且つ、生産性も良好な弾球遊技機並びにその遊技盤の製造方法を提供することを課題とする。
【０００７】
本発明の他の目的は、障害釘付近における遊技盤の加飾性や楽しみを向上させることができる弾球遊技機並びにその遊技盤の製造方法を提供することを課題とする。
【課題を解決するための手段】
【０００８】
本発明は、前面が遊技球の走行面を構成する表層シートと、前記表層シートの後面側に配置された基板と備え、前記遊技球の走行の障害となる障害釘が前記走行面から打ち込まれて前記基板に固定された遊技盤を有する弾球遊技機の改良に関する。本発明にあっては、前記表層シートは、前記障害釘の径よりも大きな大径挿通孔を有し、前記基板は、前記大径挿通孔を通って打ち込まれた前記障害釘が固定される固定孔を有する。前記固定孔は、前記大径挿通孔よりも小さな径の小径部を有し、前記表層シートの少なくとも一部に印刷インキ層が形成されている。そして、前記印刷インキ層が予め形成されると共に前記大径挿通孔が予め形成された前記表層シートと、前記固定孔の下孔が予め形成された前記基板とが、前記大径挿通孔と前記下孔とを位置合わせした状態で接着がなされ、前記障害釘が前記表層シートに対して接触することなく前記基板の固定孔に固定される。
【０００９】
このように、前記大径挿通孔を前記基板が備えるため、前記下孔との位置合わせにズレが生じた場合にあっても、前記障害釘が前記表層シートに対して接触する可能性を少なくすることができる。これによって、障害釘周辺の表層シートが浮き上がってしまったりすることがなく、且つ、生産性も良好な弾球遊技機並びにその遊技盤の製造方法を提供することができる。
【００１０】
また、本願の他の発明は、前面が遊技球の走行面を構成する表層シートと、前記表層シートの後面側に配置された基板と備え、前記表層シートと前記基板とは少なくとも一部に透光性を有するものであり、前記遊技球の走行の障害となる障害釘の釘傘部側が前記走行面から突出し、前記障害釘の胴部先端側が前記基板に固定された遊技盤を有する弾球遊技機の改良に関する。この他の発明にあっては、前記表層シートは、前記障害釘が貫通する複数の貫通孔を有し、前記貫通孔の少なくとも１つの貫通孔は、前記障害釘の胴部との間に隙間を有する大径挿通孔である。そして、前記大径挿通孔を光らせると共にこの光った前記大径挿通孔を前記隙間から視認できるようにし、障害釘付近における遊技盤の加飾性を向上させたり、遊技する楽しみを増やすことができるものである。
【発明の効果】
【００１１】
本発明は、パチンコ機等の弾球遊技機において、表層シートと基板との接着が良好に維持され、障害釘周辺の表層シートが浮き上がってしまったりすることを抑制することができたものである。
【００１２】
本発明の他の効果は、障害釘付近における遊技盤の加飾性を向上させたり、遊技する楽しみを増加させたりる契機となり得る弾球遊技機並びにその遊技盤の製造方法を提供することができたものである。
【図面の簡単な説明】
【００１３】
【図１】本発明の実施の形態に係る弾球遊技機の正面図である。
【図２】同弾球遊技機の基板の正面図である。
【図３】同弾球遊技機の表層シートの正面図である。
【図４】障害釘を含めた遊技盤（基板及び表層シート）要部断面。
【図５】障害釘を打ち込む前の遊技盤（基板及び表層シート）要部断面。
【図６】障害釘を打ち込む前の基板及び表層シートの要部拡大断面。
【図７】基板に貼り合わせる前の表層シートの要部拡大断面。
【図８】本発明の第２の実施の形態に係る弾球遊技機の要部拡大断面図である。
【図９】同第２の実施の形態に係る弾球遊技機の他の例を示す要部拡大断面図である。
【図１０】同第２の実施の形態に係る弾球遊技機のさらに他の例を示す説明図である。
【発明を実施するための形態】
【００１４】
以下、図面に基づき本願発明の実施の形態を説明する。
【００１５】
（第１の実施の形態）
表層シートの浮き上がり防止を目的とする実施の形態
この実施の形態に係る弾球遊技機１１は、図１に示すように、パチンコ遊技機として実施されたもので、走行面１７を有する遊技盤１６を上部に備え、その下部に上部球受け１３及び下部球受け１４と、発射レバー１５を備える。
【００１６】
遊技盤１６には、遊技球が入賞可能な複数の入賞口と、遊技球を案内すると共に走行方向を変化させる障害釘２１が多数設けられている。遊技盤１６の略中央には窓部１９が形成され、窓部１９に液晶画面等の可変表示部が配位されている。この可変表示部は、入賞口への遊技球の入球に応じて表示が変化するもので、液晶表示などの光学的表示の他、回転ドラムの回転等による機械的動きによって表示が変化するものであってもよい。
【００１７】
この遊技盤１６は、窓部１９などを除いて、図２に示す基板３１と、その前面に配置された図３に示す表層シート４１とを備える。図４には、障害釘２１を含めた遊技盤１６（基板３１及び表層シート４１）要部断面を示し、図５には障害釘２１が打ち込まれる前の遊技盤１６（基板３１及び表層シート４１）要部断面を示す。
【００１８】
（基板３１について）
基板３１は、遊技盤１６に強度を与えるもので、ポリメタクリル酸メチルなどのアクリル樹脂やポリカーボネート等の樹脂材料で形成してもよく、合板などの木材製であってもよい。これらの基板３１は、使用に耐える強度を付与できる例えば10〜20ｍｍ程度の厚さを有するもので、矩形の平板状体を切削等で窓部１９を開口したり、更に、チューリップやポケットと称される入賞装置を設けるための開口を形成した後加工基板であってもよく、これらの開口や障害釘２１を固定するための固定孔の下孔３４を予め形成した状態で成型される成型基板であってもよい。
【００１９】
（表層シート４１について）
表層シート４１は、基板３１の前面に配置され接着されたもので、ポリエチレンテレフタレート樹脂やポリメタクリル酸メチルなどのアクリル樹脂などの樹脂フィルムを用いて形成されている。その厚さは、特に限定されないが、一般に30〜200μｍ、望ましくは80〜150μｍ程度とされる。この樹脂フィルム４２は１層であってもよく、２層以上の積層体であってもよい。
【００２０】
（基板３１と表層シート４１との層構造について）
表層シート４１は、基板３１と略同形状をなしており、その断面においては、図６に示すように、前記の樹脂フィルム４２の後面側に印刷インキ層４３が形成され、その後面側の接着剤層４４で基板３１の前面側に貼り付けられている。
【００２１】
なお、印刷インキ層４３は樹脂フィルム４２の前面側に設けてもよいが、樹脂フィルム４２の前面側は走行面１７となるため、印刷インキ層４３の保護のためには、図示のように後面側に配置する方が好ましく、また、図示は省略するが複数層の積層体の場合には、その層間に配置することも好ましい。なお、この印刷インキ層４３は、イラストや写真等の種々の絵柄や文字を遊技盤１２の前面に表示するためのもので、図３には図柄を図示するが、図１には図示していない。
【００２２】
樹脂フィルム４２の後面側（印刷インキ層４３がある場合にはその後面側）には、接着剤層４４が形成されている。接着剤層４４は、基板３１との接着をなすためのもので、アクリル系の粘着剤や接着剤が一般的に用いられるが、これに限らず、基板３１と表層シート４１との材質との関係や印刷インキ層４３との関係で良好な接着が実現するものであればよい。接着剤層４４は、その種類にもよるが、0.15〜0.3mm程度の厚みが適当である。
【００２３】
印刷インキ層４３は、オフセット印刷やシルク印刷を用いることができるが、グラビア印刷等の他の印刷方法を用いることもできる。この印刷インキ層４３は、透光性を有するインキを用いて、後方の光源１８からの光を前方の遊技者に届くようにしてもよいが、透光性のないインキを用いることもできる。また、遊技者に見せたくない装置等を隠蔽するために、一部に透光性のないインキを用いるようにしてもよい。接着剤層４４は、その種類にもよるが、5〜10μｍ程度の厚みが適当である。
【００２４】
なお、図７に示すように、表層シート４１は、表層シート４１の前面側に前セパレートシート４５が配置され、接着剤層４４の後面側に後セパレートシート４６が配置された状態で、移送保管され、基板３１の前面に接着される段階で後セパレートシート４６が剥がされ、障害釘２１が打たれる段階で前セパレートシート４５が剥がされる。
【００２５】
基板３１には、障害釘２１を固定するための固定孔の下孔３４が形成され、この固定孔の下孔３４に対して障害釘２１が打ち込まれて固定されるもので、完成状態では固定孔の下孔３４は障害釘２１に密着状態となっている小径部３３となる。表層シート４１には大径挿通孔４７が形成されている。この大径挿通孔４７は、前セパレートシート４５及び後セパレートシート４６が配置された後、これらを貫通して打ち抜き加工等で形成されるが、前セパレートシート４５及び後セパレートシート４６が配置される前に形成することによって、前セパレートシート４５及び後セパレートシート４６には大径挿通孔４７を形成しないようにすることもできる。また、樹脂フィルム４２のみに形成し、その後、印刷インキ層４３や接着剤層４４を樹脂フィルム４２に配置することも不可能ではないが、その場合には印刷インキ層４３や接着剤層４４を印刷塗布するに際して樹脂フィルム４２の大径挿通孔４７が悪影響を与えないように配慮する必要がある。
【００２６】
（障害釘２１について）
障害釘２１は、障害釘単独で用いられるか、或いは風車の軸として用いられる従来周知の形態のもので、パチンコ遊技機に用いる場合には所定の基準を満たすものである。この障害釘２１は、釘傘部（頭部）２２と、釘傘部２２から先端側に伸びる胴部（軸部）２３とを備え、胴部２３の先端２４側が３1に固定される。この障害釘２１は、基板３１に雄ねじのない純粋な釘として実施することもでき、雄ねじが形成されたネジ釘として実施することができる。
【００２７】
（障害釘２１と遊技盤１６との関係について）
完成状態においては、表層シート４１は、胴部２３の外径よりも大きな大径挿通孔４７を有し、胴部２３はこれに接触することなく挿通される。この胴部２３は、遊技球の半径よりも小さなものとする。これよりも大きな内径とすると、その僅かな段差によって遊技球の移動に影響があるとの疑念を遊技者に抱かせるおそれがあるため、好ましくない。また、胴部２３の内径は、釘傘部２２の外径よりも小さな内径を有することが望ましい。従って、大径挿通孔４７の内径は5mm以下であることが望ましく、4mm以下であることがより望ましい。また、大径挿通孔４７の内径は、胴部２３の外径よりも大きいものであればよいが、2mmよりも大きいことが好ましく、3mm±0.5mmであることが最も好ましい。
【００２８】
製造に際しては、表層シート４１と、基板３１とが、大径挿通孔４７と固定孔の下孔３４とを位置合わせした状態で貼り合わされる。その際、固定孔の下孔３４と大径挿通孔４７とが同心円状となるように位置合わせすることが最も好ましいが、若干のズレが生じても固定孔の下孔３４よりも大径挿通孔４７が大きいため、障害釘２１は表層シート４１に対して接触することなく大径挿通孔４７を挿通して、基板３１の固定孔の下孔３４に打ち込まれ、小径部３３に密着又は螺合した状態で固定される。なお、図の例では、固定孔３２の全長を小径部３３で形成したが、基板３１の前面側は、大径挿通孔４７と同じような大径部としてもよい。
【００２９】
このように、大径挿通孔４７が障害釘２１と接触しない状態で打ち込まれるため、孔の周辺の表層シート４１が基板３１から浮き上がってしまったりすることが防止できる。
【００３０】
特に、本発明者の知見によると、基板３１が木材製の場合には、浮き上がりは顕著に現れず使用に際して支障はないが、基板３１がポリカーボネート製等の合成樹脂基板、特に窓部１９等が一体に型成型される成型基板である場合には、顕著に現れるため、上記の手段を施すことが効果的である。
【００３１】
（製造方法）
上述した第１の実施の形態における望ましい製造ステップを纏めておくと、下記のとおりである。
第１ステップ…表層シート４１の後面等の適宜位置に印刷インキ層４３を形成すると共に、表層シート４１の後面側（印刷インキ層４３が樹脂フィルム４２の後面に形成された場合には印刷インキ層４３の後面と、印刷インキ層４３のない領域樹脂フィルム４２の後面）に、接着剤層４４を形成する。
第２ステップ…上記表層シート４１に、大径挿通孔４７を形成する。
第３ステップ…基板３１に固定孔の下孔３４を形成する。この第３ステップと、第１及び第２ステップの順序は問わない。
【００３２】
第４ステップ…表層シート４１の大径挿通孔４７と基板３１の固定孔の下孔３４とを位置合わせした状態で、接着剤層４４によって基板３１と表層シート４１とを接着する。なお、接着剤層４４を予め表層シート４１に形成しておくのではなく、基板３１と表層シート４１とを接着する段階で、両者の少なくとも何れか一方に接着剤層４４を塗布して接着するようにしてもよい。
【００３３】
第５ステップ…接着された表層シート４１の前面側から、障害釘２１を打ち込んで、表層シート４１に対して接触させることなく基板３１の固定孔の下孔３４を固定孔３２として、障害釘２１を基板３１に固定する。
【００３４】
（第２の実施の形態）表層シートの加飾性の向上を目的とする実施の形態
次に、表層シート４１の大径挿通孔４７を利用して、これを光せることによって、加飾性を向上させたり、遊技の楽しみを増加させたりすることができる実施の形態について、図８〜図１０を参照して、説明する。
【００３５】
この第２の実施の形態にあっては、先の第１の実施の形態に係る表層シート４１の大径挿通孔４７を光らせるものであるため、両実施の形態において共通する部分は、その説明を省略する。第１の実施の形態では、基板３１及び表層シート４１は透明或いは半透明の透光性を有するものであってもよく、透光性を有しないものであってもよいが、この実施の形態にあっては、基板３１及び表層シート４１に透光性を有するものを用いる。但し、基板３１と表層シート４１との全体に透光性を付与することは必ずしも必要ではなく、光らせようとする大径挿通孔４７の周辺領域に透光性があればよい。
【００３６】
表層シート４１は、障害釘２１が貫通する多数の貫通孔を有するが、そのうち全ての貫通孔を第１の実施の形態のような大径挿通孔４７としてもよいが、光らせようとする少なくとも１つの貫通孔を大径挿通孔４７とすればよい。以下、この光らせようとする大径挿通孔４７を発光挿通孔４９と言う。
【００３７】
発光挿通孔４９を光らせるために、遊技盤１６後面や、前後左右の周囲に、光源１８を配置し、光源１８からの光が遊技盤１６内部を通過するように構成する。この光源１８は、特に限定されるものではなく、ＬＥＤランプや蛍光灯など一般の弾球遊技機に用いられる光源でよいが、場合によってはブラックライト等の紫外線ランプを用いるようにする。
【００３８】
この光源１８からの光を、発光挿通孔４９に導くことによって、発光挿通孔４９の内周面を光らせる。具体的には、光源１８からの光に対する調光部５１を、遊技盤１６の内部に設ける。
【００３９】
調光部５１の具体的手段としては、図８に示すように、発光性のインキを表層シート４１の後面等に塗布することによって、遊技盤１６の内部に発光インキ部分５２を設ける。発光インキ部分５２は夜光インキ等の蓄光性を有するインキや、紫外線発光インキを塗布することによって構成される。なお、蓄光性を有するインキの場合には通常の光源を用いればよいが、紫外線発光インキの場合には紫外線ランプを用いる。
【００４０】
この発光インキ部分５２が発光することによって、発光した光を、樹脂フィルム４２の内部を通して発光挿通孔４９、特にその内周面に導く。これによって、発光挿通孔４９を光らせる。発光挿通孔４９は、その内周面、若しくは、内周面と表層シート４１表面とのエッジが光ることが適切であり、以下の説明では、特に断りがない限り、発光挿通孔４９の内周面とは、上記の何れか一方の箇所を意味する。
【００４１】
この発光挿通孔４９は障害釘２１の胴部２３よりも大きいため、この光は発光挿通孔４９と胴部２３との隙間４８から、遊技者に視認される。この光は、強いものであってもよいが、弱い光でもよい。特に、プレイする弾球遊技機１１を選択する際に、障害釘２１の状態を選択の指標の一つとしている遊技者もあり、このような遊技者は障害釘２１を注視するため、このような遊技者のみが気づく弱い光であってもよい。
【００４２】
調光部５１の他の例としては、図９に示す反射部分５３を示すことができる。反射部分５３は、表層シート４１の内部に形成され弾球遊技機群１２の後方等に配置される光源１８からの光の進行方向を変化させ、その光を表層シート４１の内部を通して、発光挿通孔４９の内周面に導いて光らせるものである。この反射部分５３は、金属粉などの反射性を有する物質を表層シート４１内に混入させたものであってもよく、光源１８からの光に対して45度等に傾斜したスリットを表層シート４１に形成したものであってよい。このスリットは意図的に形成するものであってもよいが、意図せずに形成された傷を利用するものであってもよい。
【００４３】
上述の調光部５１は、発光挿通孔４９の付近に形成することが望ましい。ここで、発光挿通孔４９の付近とは、調光部５１からの光が発光挿通孔４９に届く位置である。従って、光が届く位置であれば、特に、その距離は問わないが、0.5〜30mm程度離れた位置とすることが望ましい。
【００４４】
また、図示は省略するが、前述の発光性インキを発光挿通孔４９の内周面に塗布して、光源１８からの光で発光挿通孔４９の内周面を発光させるものであってもよい。
【００４５】
なお、印刷インキ層４３は上記の調光部５１を介しての光の経路を完全に塞がないものであれば、調光部５１と併用することができる。具体的には、この光の経路に当たる部分に、透光性のない印刷インキ層４３を配置することは好ましくないが、透光性のある印刷インキ層４３であれば、この光の経路中に配置することも可能である。
【００４６】
（弾球遊技機群１２について）
第２の実施の形態にあっては、内周面が光る発光挿通孔４９を、１つの弾球遊技機１１の全ての障害釘２１に対して施してもよいが、１つの弾球遊技機１１における１つの障害釘２１に施してもよく、その割合は適宜設定して実施することができる。また、図１０に示すように、複数の弾球遊技機１１から構成される弾球遊技機群１２について、少なくとも１台の弾球遊技機１１について、光る発光挿通孔４９を少なくとも１つ備えたものとし、他の弾球遊技機１１については、通常の光らないものとしてもよい。この複数の弾球遊技機１１から構成される弾球遊技機群１２は、例えば、同じシリーズを有する弾球遊技機１１の集合でもよく、同じ絵柄を有する弾球遊技機１１の集合でもよく、一つのパチンコ店に導入される弾球遊技機１１の集合でもよい。例えば、同じ絵柄を持った弾球遊技機１１から構成される弾球遊技機群１２について、光る発光挿通孔４９を備えたものを少なくとも１台混入する。そして、遊技者がこの発光挿通孔４９を備えた弾球遊技機１１で遊技をし、たまたまよい成績を納めた場合、縁起を担いで、次回の遊技に際しても、光る発光挿通孔４９を有する弾球遊技機１１を選択する等して、その絵柄を持った弾球遊技機群１２の贔屓客となる可能性が生じる。また、これを積極的に促すために、法令を遵守した範囲内で、障害釘２１や大当たり確率を調整したりするなど、種々のスペックを調整するようにしてもよく、同じ絵柄を持った弾球遊技機群１２について、発光挿通孔４９を備えたものと備えないものとで、スペックが異なることを公表して、遊技者の関心を惹くようにしてもよい。もちろん、発光挿通孔４９の有無と弾球遊技機１１のスペックとを無関係なものとして実施することも可能である。
【００４７】
（変更例）
上述の第２の実施の形態にあっては、少なくとも発光挿通孔４９を備える弾球遊技機１１を有することが要旨であるため、光る発光挿通孔４９を弾球遊技機１１の前面側から視認することを条件に種々変更して実施することができる。発光挿通孔４９は、その内周面の全周が障害釘２１と接触しないものとすることが最も望ましいが、内周の一部が障害釘２１と接触させたものであってよい。例えば、発光挿通孔４９の形状を星形にしたり、多角形にしたり、楕円形にしたりするなど、種々変更し、その一部が障害釘２１と接触するものであっても、光る内周面の少なくとも一部を外部から視認できる隙間４８があれば足りる。またその製造方法も種々変更することができ、基板３１と表層シート４１とを貼り合わせた後に、障害釘２１を固定する孔を表層シート４１と基板３１とを一度に形成するようにし、その内径を大径と小径との２段階にしてもよい。表層シート４１側に形成される発光挿通孔４９は、その平面に対して垂直な孔であってもよいが、後面側から前面側に向かうに従ってすり鉢状に徐々の径が大きくなる傾斜孔であってもよい。また、発光挿通孔４９以外の光らない孔については、その構造は障害釘２１を確実に固定できることを条件に種々変更して実施することができる。
【符号の説明】
【００４８】
１１  弾球遊技機
１２  弾球遊技機群
１３  上部球受け
１４  下部球受け
１５  発射レバー
１６  遊技盤
１７  走行面    
１８  光源      
１９  窓部
２１  障害釘
２２  釘傘部
２３  胴部
２４  先端
３１  基板
３２  固定孔
３３  小径部
３４  固定孔の下孔
４１  表層シート
４２  樹脂フィルム
４３  印刷インキ層
４４  接着剤層
４５  前セパレートシート
４６  後セパレートシート
４７  大径挿通孔
４８  隙間
４９  発光挿通孔
５１  調光部
５２  発光インキ部分
５３  反射部分
【図１】
2015019834.tif 000003
【図２】
2015019834.tif 000004
【図４】
2015019834.tif 000005
【図５】
2015019834.tif 000006
【図６】
2015019834.tif 000007
【図７】
2015019834.tif 000008
【図８】
2015019834.tif 000009
【図９】
2015019834.tif 000010
【図１０】
2015019834.tif 000011
【図３】
2015019834.tif 000012